(57)【要約】【課題】  コンピュータシステムの構成を、グラフィカルユーザインタフェースにおいてモデル化したコンポーネントを用いて設計できるシステム設計装置を提供する。【解決手段】  コンピュータシステムを構成するコンポーネントを、そのコンポーネントの実製品情報を含めてモデル化したコンポーネントアイコンとして表示し、コンポーネントアイコンを描画ペインにドラッグアンドドロップすることでシステム構成を設計する。【選択図】図１
2009217530.tif 000002
【特許請求の範囲】
【請求項１】
グラフィカルユーザインタフェースを備えたシステム設計装置であって、コンピュータシステムを構成するコンポーネントを、そのコンポーネントの実製品情報を含めてモデル化したコンポーネントアイコンとして表示し、前記コンポーネントアイコンを描画ペインにドラッグアンドドロップすることでシステム構成を設計する設計手段を備えたことを特徴とするシステム設計装置。
【請求項２】
システム管理ソフトウェアと設計適用手段をさらに備え、前記設計適用手段は前記システム管理ソフトウェアと連携して、設計されたシステム構成を実環境へ適用することを特徴とする請求項１に記載のシステム設計装置。
【請求項３】
前記設計手段は、前記システム管理ソフトウェアと連携し、設計ファイル記憶部に記憶された既存システムの設計図を読み出し前記描画ペインに描画させ、描画した設計図に前記コンポーネントアイコンをドラッグアンドドロップすることで、コンポーネントを追加し、システム構成を設計することを特徴とする請求項１又は２に記載のシステム設計装置。
【請求項４】
前記設計手段は、前記システム管理ソフトウェアと連携し、テンプレート記憶部に記憶された構成例としてのテンプレートを読み出し前記描画ペインに描画させ、描画したテンプレートに前記コンポーネントアイコンをドラッグアンドドロップすることで、コンポーネントを追加し、システム構成を設計することを特徴とする請求項１又は２に記載のシステム設計装置。
【請求項５】
前記設計手段を使って作成されたシステム設計図において、新規ハードウェアが必要な場合には、製品受発注システムを使用して前記新規ハードウェアを発注することを特徴とする請求項１乃至４のいずれかに記載のシステム設計装置。
【請求項６】
推奨設計計算手段を備え、該推奨設計計算手段は前記システム管理ソフトウェア及び製品情報データベースと連携して、システムの実環境の性能情報、課金情報、システムを構成するコンポーネントの性能情報、価格情報を基に、性能の観点と価格の観点から推奨されるシステム構成の選択をユーザに提供することを特徴とする請求項１乃至５のいずれかに記載のシステム設計装置。
【請求項７】
構成チェック手段は、構成チェックルール記憶部の構成チェックルールを使って、作成したシステム構成の妥当性を検証し、また、前記構成チェックルール記憶部の構成チェックルールを追加、削除、変更できることを特徴とする請求項１乃至６のいずれかに記載のシステム設計装置。
【請求項８】
前記設計手段を使って作成されたシステム設計図を、出力装置のプリンタを使って印刷し、レポートやシステム構築現場で使用することが可能であることを特徴とする請求項１乃至７のいずれかに記載のシステム設計装置。
【請求項９】
グラフィカルユーザインタフェースを利用したシステム設計方法であって、コンピュータシステムを構成するコンポーネントをその実製品情報を含めてモデル化されたコンポーネントアイコンとして表示し、前記コンポーネントアイコンを描画ペインにドラッグアンドドロップすることでコンポーネントを追加し、コンピュータシステムのシステム構成を設計することを特徴とするシステム設計方法。
【請求項１０】
システム管理ソフトウェアと設計適用手段を利用して、設計されたコンピュータシステム構成を実環境として適用することを特徴とする請求項９に記載のシステム設計方法。
【発明の詳細な説明】
【技術分野】
【０００１】
本発明は、コンピュータシステムを構築するためのシステム設計装置に関し、特にコンピュータシステムの構築を自動的に行うシステム設計装置に関する。
【背景技術】
【０００２】
コンピュータシステムは、大企業は勿論のこと、中小企業や家庭においても構築されている。これらのコンピュータシステム（以下、システムと略記することがある）は、業務改善や日常業務遂行には必須不可欠である。しかしシステムは、データ量の増大、機能追加等により、システムを再構築する場合が考えられる。また障害時の対応のため、システムの利用予測を行い、障害時にも対応できるように日常的に設備を増強する場合もある。このシステムを管理し、例えば障害時等に設備を自動的に切り替え別設備でシステムを稼動させることは、プロビジョニングと呼ばれている。
【０００３】
このように、システムの新規構築や設備増強が日常的に行われている。しかし、このシステム設計は自動化されていないのが現状である。つまり、従来のグラフィカルなインタフェースを持つモデリング装置では、設計したモデルを入力として自動的にサーバやネットワークを含むようなシステムの実環境を構成することはできない。また、従来のシステムを構成するプロビジョニング装置は、システム構成の包括的な設定を可能とするグラフィカルユーザインタフェースを提供しておらず、個々の機器の設定を一画面から逐次行うようなものであり、特に初期導入時の作業が多いことが問題となっている。
【０００４】
システムをモデル化した先行特許文献として特許文献１、２がある。特許文献１では、モデル作成者が作成したモデル図と、モデル図の作成観点が記載されたテンプレート図とを作成する。グラフィック画面を使用して、今まで蓄積されている作成済みのモデル図やテンプレート図とを参照しながら、新規作成したモデル図とテンプレート図の関連付けや、訂正を行うモデリング支援装置が開示されている。また特許文献２では、例えば建物の個々の部分品のデータベースを使用して、段階的に設定することで、建物全体の価格見積もりする設計支援装置が開示されている。
【０００５】
【特許文献１】特開平７−２１０５８５号公報
【特許文献２】特開平７−２１０５８５号公報
【発明の開示】
【発明が解決しようとする課題】
【０００６】
上記した先行特許文献においては、部分的なモデルを使用してシステムを構築することができる。しかしシステム構成の包括的な設定を可能とするグラフィカルユーザインタフェースではない。特許文献１においてはその観点がテンプレート図に記載されているのみであり、特許文献２では建物を構築するための見積もりであり、構成部品を組み合わせだけである。しかしコンピュータシステムは、単なる構成部品を組み合わせだけでは完全なシステム設計とは言えない。グラフィカルユーザインタフェースで、システム構成の包括的な設定を可能とするシステム設計装置は存在していないという問題がある。またコンピュータシステム設計は、システムの大規模化や複雑化に伴い、その難易度の高さと導入作業量の多さを原因とする、人的ミスが発生するという問題がある。さらに初期導入時の作業者の負担が大きいという問題もある。
【０００７】
本発明の目的は、上記した人的ミスの発生や、初期導入時の作業者の負担の問題を解決するシステム設計装置を提供することにある。
【課題を解決するための手段】
【０００８】
上記した課題を解決するため、本願発明のシステム設計装置は、グラフィカルユーザインタフェースを備え、コンピュータシステムを構成するコンポーネントを、そのコンポーネントの実製品情報を含めてモデル化したコンポーネントアイコンとして表示し、前記コンポーネントアイコンを描画ペインにドラッグアンドドロップすることでシステム構成を設計する設計手段を備えたことを特徴とする。
【０００９】
また本願発明のシステム設計方法は、グラフィカルユーザインタフェースを利用し、コンピュータシステムを構成するコンポーネントをその実製品情報を含めてモデル化されたコンポーネントアイコンとして表示し、前記コンポーネントアイコンを描画ペインにドラッグアンドドロップすることでコンポーネントを追加し、コンピュータシステムのシステム構成を設計することを特徴とする。
【発明の効果】
【００１０】
本発明においては、グラフィカルユーザインタフェースを利用し、コンピュータシステムを構成するコンポーネントをその実製品情報を含めてモデル化されたコンポーネントアイコンを使用し、システム設計できる。そのため設計からシステム構築までの作業が容易に行えるシステム設計装置、システム設計方法が得られる。
【発明を実施するための最良の形態】
【００１１】
本発明の実施の形態について、添付した図面１〜７を参照しながら、詳細に説明する。図１に本発明に係るシステム設計装置の構成図を示す。図２にその設計手段関係、図３に設計情報出力手段関係の構成図を示す。さらに他の構成図として図４に設計手段関係、図５に設計情報出力手段を示す。図６に本発明に係るシステム設計装置の画面イメージ図を示す。図７に本発明に係るシステム設計装置のフローチャート図を示す。
【００１２】
図１を参照すると、本実施形態のシステム設計装置は、キーボード等の入力装置１と、プログラム制御により動作するデータ処理装置２と、情報を記憶する記憶装置３と、実環境の構成管理等を行うシステム管理ソフトウェア４と、システム構成機器を発注する製品受発注システム５と、ディスプレイ装置や印刷装置等の出力装置６とから構成される。
【００１３】
記憶装置３は、システム構成要素記憶部３１と、テンプレート記憶部３２と、構成チェックルール記憶部３３と、設計ファイル記憶部３４とを備えている。システム構成要素記憶部３１は、サーバ、オペレーティングシステム、ネットワークスイッチなどのシステム構成要素をあらかじめ記憶している。各要素は、グラフィカルな操作に必要な画像を保持する。テンプレート記憶部３２は、典型的な構成例をテンプレートとしてあらかじめ記憶している。テンプレートは、ユーザがこれをカスタマイズして設計するなどして設計を簡易化する目的で使用される。テンプレートは、追加、削除、変更を可能とする。
【００１４】
構成チェックルール記憶部３３は、システム構成の妥当性を検証するためのルールをあらかじめ記憶している。設計ファイル記憶部３４は、ユーザが本発明のシステム設計装置を用いて設計した結果をファイルとして保存する。この出力ファイルは、汎用的に使用されることを考慮して、ＸＭＬファイル形式とする。このファイルは、システム構築を行うシステム管理ソフトウェア４と同形式にすることにより、システム管理ソフトウェア４が持つ実環境の構成情報を基に設計を行うことを可能にする。
【００１５】
データ処理装置２は、設計手段２１と、構成チェック手段２２と、設計情報出力手段２３と、推奨設計計算手段２４と、製品発注手段２５と、設計適用手段２６とを備える。
【００１６】
設計手段２１は、図２を参照すると、構成要素配置手段２１１と、配置位置計算手段２１２とを有する。構成要素配置手段２１１は、システム構成要素記憶部３１に記憶されているシステム構成要素を用いて、ユーザが設計を可能にするインタフェース、及び、画像のレンダリング機能を持つ。配置位置計算手段２１２は、テンプレート記憶部３２に記憶されているテンプレート、または、設計ファイル記憶部３３に記憶されている設計ファイルからグラフィカルユーザインタフェースに表示する位置を算出し、この結果を構成要素配置手段２１１に渡す。
【００１７】
構成チェック手段２２は、構成チェックルール記憶部３３に記憶されたルールに従って、設計図の妥当性を検証する機能を持つ。ルールに適合しない場合には、その内容を表示する。また、ルールを追加、削除、変更して、構成チェックルール記憶部３３に保存する機能を持つ。
【００１８】
設計情報出力手段２３は、図３を参照すると、設計図印刷手段と２３１と、設計ファイル作成手段２３２とを含む。設計図印刷手段２３１は、ユーザが作成した設計図をプリンタ６１へ出力し、実環境の現場などへ持ち運べる図を作成する手段を提供する。設計ファイル作成手段２３２は、ユーザが作成した設計をＸＭＬ形式の出力ファイルに変換して設計ファイル記憶部３４へ保存する。また、設計図はテンプレートとして保存することも可能であり、その場合の出力はテンプレート記憶部３２へ保存される。
【００１９】
推奨設計計算手段２４は、システム管理ソフトウェア４が持つ実環境の性能情報、および、課金情報、製品ＤＢ５１が持つ各製品の性能情報と価格情報を基に、性能の観点と価格の観点から、推奨される設計を算出し、ユーザにその情報を提供する。
【００２０】
製品発注手段２５は、製品受発注システム５と連携し、ユーザがシステムの構成要素として実環境にないものを使用して設計した場合に、その製品を発注する手段をユーザに与える。
【００２１】
設計適用手段２６は、システム管理ソフトウェア４と連携して、設計したシステム構成を実環境へ適用する手段を提供する。
【００２２】
製品受発注システム５は、製品の仕様および製品価格情報を持つ製品データベース（ＤＢ）５１を備え、システム構成機器を発注する。
【００２３】
このようにシステム管理ソフトウェア４は、設計ファイル記憶部３４からシステムの設計図又はテンプレート記憶部からのテンプレートを読み込み、設計適用手段２６を使ってシステムを構築することができる。システム管理ソフトウェア４は、設計ファイル記憶部３４又はテンプレート記憶部に記憶されたシステムの構成における管理ソフトと、その性能情報を保持する。その管理ソフトにより記憶されたシステムの設計図に示された実環境のシステムを管理できる。このように実環境のシステムを管理できることを、実環境のシステムを構築、あるいは実環境のシステムへ適用するという。さらに、システム管理ソフトウェア４は、ライセンス料等のシステム全体の課金情報を有している。
【００２４】
図６を参照すると、画面１０００は本発明のグラフィカルユーザインタフェースのイメージを表し、メニュー１０１０と、コンポーネント表示ペイン１０２０と、描画ペイン１０３０とを含む。コンポーネント表示ペイン１０２０は、サーバ（Servers）１０２１などのカテゴリ別にコンポーネントアイコン１０２２などを含む。描画ペイン１０３０は、フィジカルビュー（Physical View）１０３１と、ロジカルビュー（Logical View）１０３２と、バーチャルビュー（Virtual View）１０３３とを含み、コンポーネントアイコン１０２２を用いて作図したモデル１０３４を表示する。コンポーネントアイコン１０２２は、ドラッグアンドドロップで描画ペイン１０３０へ移動する。コンポーネントアイコン１０２２は、製品ＤＢ５１から得られる情報を持つ。ステータス表示ペイン１０４０は、推奨設計計算手段２４から算出される結果や現在のモデルの状態などを表示する。
【００２５】
次に、図１、図６、及び図７を参照して本実施形態例の手順について説明する。本発明のシステム設計装置としては、たとえば入力装置１としてキーボードとマウスを使ってユーザがフローを選択するため入力し、出力装置６は基本的にはディスレイ６２を使用し、必要に応じプリンタを使って印刷するものとして説明する。
【００２６】
ステップＡ１において、ユーザは設計の対象が新規のシステムか既存のシステムかをキーボードから選択入力する。既存のシステムの場合には、ステップＡ２として、設計ファイル記憶部３４よりシステム管理ソフトウェア４が管理する既存システムの設計図をキーボードから選択入力する。選択された既存システムの設計図を読み込み、図６の描画ペイン１０３０へ描画する。
【００２７】
設計の対象が新規のシステムでテンプレートを使用する場合には、ステップＡ３として、テンプレート使用を選択入力する。さらにステップＡ４として、テンプレートの選択をキーボードから入力し、ユーザが選択したテンプレートをテンプレート記憶部３２から、描画ペイン１０３０へ描画する。新規のシステムであるが、テンプレートを使用しない場合には、次のステップＡ５に進む。この場合には、システムを構成するコンポーネントをコンポーネントアイコンにより全て選択することで、システムを設計する。
【００２８】
ステップＡ５として、新しいコンポーネントを追加する。ユーザはコンポーネント表示ペイン１０２０のコンポーネントアイコン１０２２を描画ペイン１０３０へドラッグアンドドロップして、描画する。描画ペイン１０３０へコンポーネントアイコン１０２２を描画することで、システム設計図へ新しいコンポーネント及びその性能情報が追加される。ここで、追加するコンポーネントが仮想ＯＳなどの場合、配置する場所を推奨設計計算手段２４で算出し、結果から配置する場所を判断し、選択する（ステップＡ６、Ａ７、およびＡ８）。必要なコンポーネントの追加を繰り返し、システム設計図を作成する。
【００２９】
本発明においては、システムを構成するコンポーネントをその性能情報を含めて全てモデリング化し、描画するグラフィカルユーザインタフェースとしてシステム設計作業が行われる。ユーザは、モデリングされた描画ペイン１０３０に描画されたコンポーネントアイコン１０２２のみでシステム設計することができる。そのためシステム設計作業が容易に行え、人為的ミスの発生が抑えられる。
【００３０】
ステップＡ９として、作成したシステム設計図を、構成チェック手段２２で、構成に矛盾がないか確認する。ステップＡ１０として、作成したシステム設計図に基づいて、実際に構成する場合の性能と価格を推奨設計計算手段２４でシミュレーション計算する。
【００３１】
ステップＡ１１として、システム設計図の構成において新しいハードウェアを使用しているかどうかを入力する。新しいハードウェアを使用している場合には、ステップＡ１１として、製品発注手段２５で発注する。注文した製品が届いたら、ステップＡ１３として設計情報出力手段２４で設計図を印刷し、ステップＡ１４として、その配置を確認する。
【００３２】
次にシミュレーション結果に問題がない場合、ステップＡ１５として実際のシステムへ適用する。設計適用手段２６では、設計に矛盾がなければ、システム管理ソフトウェア４へ設計内容のとおりにシステムを構成するように指示を出す。システム管理ソフトウェア４は、作成された新規のシステム設計図を、設計ファイル記憶部３４に新たに登録する。システム設計装置の自動化されたフローは終了する。
【００３３】
上記したように本発明のシステム設計装置は、システム構成をモデリングするためのグラフィカルユーザインタフェースを提供し、設計作業を容易にする。また、システムを構築するソフトウェアへの入力は、モデリングしたコンポーネントを画像とし、システムの構築を自動化する。さらに設計したシステムを実環境で構築し、設計に矛盾がないことが確認できる。
【００３４】
本発明のシステム設計装置の第一の効果は、設計からシステム構築までの作業が容易に行えることにある。その第一の理由は、システムの構築を自動で行うシステム管理ソフトウェアと構成情報を含むファイルを共有し、システムを構成するコンポーネントをその性能情報を含めてモデリング化する。そのモデル化され、描画ペインに描画されたコンポーネントを使用してシステム設計できるためである。第二の理由は、さらに製品発注システムと連携して、追加のシステム構成要素を描画ペインから発注できるためである。
【００３５】
第二の効果は、設計図をシミュレーションして、価格と性能情報を設計の判断材料として提供して、設計作業を支援することにある。その理由は、システム管理ソフトウェアが持つ性能および課金情報、製品ＤＢが持つ製品の仕様と価格情報から、計算に使用する値を取得しているためである。
【００３６】
第三の効果は、設計の人的ミスを減らせることにある。その理由は、典型的なシステム構成をテンプレートとして備えていることと、構成をチェックする機能を備えているためである。第四の効果は、設計図を出力して、システムの構築現場へ持ち運び、配置を確認できることにある。その理由は、設計図の出力手段を提供しているためである。
【００３７】
次に、本発明の実施形態の応用として、第１の応用例について図４、第２の応用例について図５を参照して説明する。
【００３８】
図４に示す第１の応用例は、図２に示された実施形態における入力装置１がキーボード・マウス１１とスキャナ１２に分類されている点と、設計手段２１に設計解析手段２１３が加えられている点が異なる。図１と図２で示した実施形態では、設計図の入力として、キーボード・マウス１１からユーザが新たに設計する方法、テンプレート記憶部３２に記憶されているテンプレートを使用する方法、設計ファイル記憶部３３に記憶されている設計ファイルを使用する方法があった。これらに加えて、記録媒体として紙面を使用した既存設計図の入力が応用例として考えられる。
【００３９】
紙面に記録された設計図をスキャナ１２から入力し、設計解析手段２１３で、設計図面を解析し、システム構成要素記憶部３１の構成要素に変換する。変換された構成要素は、配置変換位置計算手段２１２にて配置位置が算出され、構成要素配置手段２１１にて出力される。ここではスキャナ１２から入力した紙面に記録された設計図に基づいて、システムを設計し、構築できる。
【００４０】
次に図５に示す第２応用例は、図３に示された実施形態における設計情報出力手段２３に電子メール送信手段２３３、および、メールサーバ７が加えられている。図１と図３で示した実施形態では、設計図の出力として、プリンタ６１からの印刷、設計ファイル記憶部３４へのファイル保存があった。これらに加えて、設計図をメールとして送信する応用例が考えられる。作成した設計図を送付するアドレスを電子メール送信手段２３３で指定すると、メールサーバ７へメールが送信される。携帯端末へ送信するなどして、実環境の現場などへ持ち運べる手段を提供する。
【００４１】
本発明は、システム構成要素記憶部３１と製品ＤＢ５１から得られるシステム構成要素の情報を用いて、システム構成をモデリングするためのグラフィカルユーザインタフェースを提供する。設計図は設計ファイル記憶部３４に記憶され、システム管理ソフトウェア４と共有されることにより、実環境へ適用することができる。また、実環境から得られる設計図に構成の変更を加え、それを実環境へ再度適用することができる。また、実環境にない構成要素を用いて設計を行う場合、製品受発注システム５と連携して製品発注を行うことができる。システム管理ソフトウェア４および製品受発注システム５と連携することにより実現される機能として、更に推奨設計計算手段４がある。システム管理ソフトウェア４から得られる性能情報および課金情報と、製品ＤＢ５１から得られる製品の仕様および価格情報を基にして、性能と価格の観点から推奨される設計を算出した結果をユーザに提供するため、設計がより容易に行える。
【００４２】
本発明によれば、グラフィカルユーザインタフェースを備え、コンピュータシステムを構成するコンポーネントを、そのコンポーネントの実製品情報を含めてモデル化したコンポーネントアイコンとして表示し、コンポーネントアイコンを描画ペインにドラッグアンドドロップすることでシステム構成を設計する設計手段を備えたシステム設計装置が得られる。
【００４３】
本発明のシステム設計装置は、システム管理ソフトウェアと設計適用手段をさらに備え、設計適用手段はステム管理ソフトウェアと連携して、設計されたシステム構成を実環境へ適用することができる。
【００４４】
本発明の設計手段は、システム管理ソフトウェアと連携し、設計ファイル記憶部に記憶された既存システムの設計図を読み出し描画ペインに描画させ、描画した設計図にコンポーネントアイコンをドラッグアンドドロップすることで、コンポーネントを追加し、システム構成を設計することができる。さらに本発明の設計手段は、システム管理ソフトウェアと連携し、テンプレート記憶部に記憶された構成例としてのテンプレートを読み出し描画ペインに描画させ、描画したテンプレートにコンポーネントアイコンをドラッグアンドドロップすることで、コンポーネントを追加し、システム構成を設計することもできる。
【００４５】
また本発明のシステム設計装置においては、設計手段を使って作成されたシステム設計図において、新規ハードウェアが必要な場合には、製品受発注システムを使用して新規ハードウェアを発注することが可能である。
【００４６】
本発明のシステム設計装置は、推奨設計計算手段を備え、該推奨設計計算手段はシステム管理ソフトウェア及び製品情報データベースと連携して、システムの実環境の性能情報、課金情報、システムを構成するコンポーネントの性能情報、価格情報を基に、性能の観点と価格の観点から推奨されるシステム構成の選択をユーザに提供することができる。
【００４７】
本発明のシステム設計装置の構成チェック手段は、構成チェックルール記憶部の構成チェックルールを使って、作成したシステム構成の妥当性を検証し、また、構成チェックルール記憶部の構成チェックルールを追加、削除、変更できることができる。
【００４８】
本発明のシステム設計装置においては、設計手段を使って作成されたシステム設計図を、出力装置のプリンタを使って印刷し、レポートやシステム構築現場で使用することが可能である。
【００４９】
本発明によれば、グラフィカルユーザインタフェースを利用し、コンピュータシステムを構成するコンポーネントをその実製品情報を含めてモデル化されたコンポーネントアイコンとして表示し、コンポーネントアイコンを描画ペインにドラッグアンドドロップすることでコンポーネントを追加し、コンピュータシステムのシステム構成を設計するシステム設計方法が得られる。このシステム設計方法においては、システム管理ソフトウェアと設計適用手段を利用して、設計されたコンピュータシステム構成を実環境として適用することができる。
【００５０】
上記したように実施形態を参照して本願発明を説明したが、本願発明は上記の実施形態に限定されるものではない。本願発明の構成や詳細には、本願発明のスコープ内で当業者が理解し得る様々な変更をすることができる。
【図面の簡単な説明】
【００５１】
【図１】本発明に係るシステム設計装置の構成図を示す。
【図２】本発明のシステム設計装置に係る設計手段関係の構成図を示す。
【図３】本発明のシステム設計装置に係る設計情報出力手段関係の構成図を示す。
【図４】本発明のシステム設計装置に係る設計手段関係の他の構成図を示す。
【図５】本発明のシステム設計装置に係る設計情報出力手段の他の構成図を示す。
【図６】本発明に係るシステム設計装置の画面イメージ図を示す。
【図７】本発明に係るシステム設計装置のフローチャート図を示す。
【符号の説明】
【００５２】
１    入力装置
２    データ処理装置
３    記憶装置
４    システム管理ソフトウェア
５    製品受発注システム
６    出力装置
７    メールサーバ
１１    キーボード・マウス
１２    スキャナ
２１    設計手段
２２    構成チェック手段
２３    設計情報出力手段
２４    推奨設計計算手段
２５    製品発注手段
２６    設計適用手段
３１    システム構成要素記憶部
３２    テンプレート記憶部
３３    構成チェッククルール記憶部
３４    設計ファイル記憶部
５１    製品ＤＢ
６１    プリンタ
６２    ディスプレイ
２１１    構成要素配置手段
２１２    配置位置計算手段
２１３    設計解析手段
２３１    設計図印刷手段
２３２    設計ファイル作成手段
２３３    電子メール送信手段
１０００    画面
１０１０    メニュー
１０２０    コンポーネント表示ペイン
１０２１    サーバ
１０２２    コンポーネントアイコン
１０３０    描画ペイン
１０３１    フィジカルビュー
１０３２    ロジカルビュー
１０３３    バーチャルビュー
１０３４    モデル
１０４０    ステータス表示ペイン
【図１】
2009217530.tif 000003
【図２】
2009217530.tif 000004
【図３】
2009217530.tif 000005
【図４】
2009217530.tif 000006
【図５】
2009217530.tif 000007
【図６】
2009217530.tif 000008
【図７】
2009217530.tif 000009